【事件の表示】
　特願２００３−３６００５１「媒体情報検索装置および媒体情報検索方法」拒絶査定不服審判事件〔平成１７年　５月１２日出願公開、特開２００５−１２２８６３〕について、次のとおり審決する。
【結　論】
　本件審判の請求は、成り立たない。
【理　由】
第１　手続の経緯
 　本願は、平成１５年１０月２０日の出願であって、平成１８年６月１９日付け拒絶理由通知に対して、平成１８年８月２１日付けで手続補正がなされたが、平成１８年９月７日付けで拒絶の査定がなされ、これに対し、平成１８年１０月１３日付けで拒絶査定不服審判が請求されるとともに、平成１８年１１月１３日付けで手続補正がなされたものである。その後当審において、平成２０年８月１２日付けで審尋がなされ、平成２０年１０月１４日付けで回答書が提出されたものである。
　
第２　平成１８年１１月１３日付け手続補正についての補正却下の決定
［補正却下の決定の結論］
　平成１８年１１月１３日付けの手続補正を却下する。
　
［理　由］
１．手続補正の内容
　平成１８年１１月１３日付けの手続補正（以下「本件補正」という。）は、特許請求の範囲及び発明の詳細な説明についてするもので、特許請求の範囲については、本件補正前に
「　【請求項１】
　記録媒体に記録された信号を再生または保存する記録再生装置と、
　前記記録再生装置とネットワーク通信網を介して接続され、前記信号の内容情報を蓄積しているデータベースと、
　を具備し、前記記録媒体に記録された信号を再生または保存する際に前記ネットワーク通信網を介して前記データベースから前記信号の内容情報を取込むようにした媒体情報検索装置であって、
　前記記録媒体に記録された信号が音楽の音声信号であって、前記記録媒体に記録された著作権情報を元に音楽会社または音楽の通信販売会社のホームページのデータベースから前記音楽の内容情報を取込んで表示または記憶するとともに、
　予め登録したユーザの嗜好あるいはユーザがアーカイブしたアルバムデータを元にフィルタリングまたは優先表示してデータ化することを特徴とする媒体情報検索装置。
　　【請求項２】
　前記著作権情報の録音年情報から音楽会社または音楽の通信販売会社のホームページの有効な内容情報を自動的に取込むことを特徴とする請求項１に記載の媒体情報検索装置。
　　【請求項３】
　前記記録媒体のトラック情報から音楽会社または音楽の通信販売会社のホームページの該当する内容情報を自動的に取込むことを特徴とする請求項１に記載の媒体情報検索装置。
　　【請求項４】
　前記音楽の内容情報をネットワーク通信網を介して接続されているサーバの記憶手段に記憶することを特徴とする請求項１に記載の媒体情報検索装置。
　　【請求項５】
　前記音楽の内容情報をこの検索装置内の記憶手段に記憶させることを特徴とする請求項１に記載の媒体情報検索装置。
　　【請求項６】
　記録媒体に記録された音声信号を再生または保存する際に前記音声信号の内容を検索する方法において、
　前記音声信号のトラック情報を元にネットワーク通信網を介してトラック情報のデータベースにアクセスし、対応する内容情報を入手するとともに、
　前記トラック情報のデータベース中に対応する内容情報が検索されない場合に、前記音声信号の著作権情報を元にネットワーク通信網を介して音楽会社または音楽の通信販売会社のデータベースにアクセスし、対応する内容情報を入手し、
　予め登録したユーザの嗜好あるいはユーザがアーカイブしたアルバムデータを元にフィルタリングまたは優先表示してデータ化することを特徴とする媒体情報検索方法。
　　【請求項７】
　トラック情報のデータベース中に対応する内容情報が２つ以上ある場合に、予め記憶されている内容情報を利用して類似の内容情報を自動的に検索することを特徴とする請求項６に記載の媒体情報検索方法。
　　【請求項８】
　トラック情報のデータベース中に対応する内容情報が２つ以上ある場合にそれらの内容を表示し、ユーザが内容情報を選択することを特徴とする請求項６に記載の媒体情報検索方法。
　　【請求項９】
　音楽会社または音楽の通信販売会社のデータベースにアクセスすると、該音楽会社または該販売会社の宣伝広告が自動的に検索側に送信されることを特徴とする請求項６に記載の媒体情報検索方法。
　　【請求項１０】
　ネットワーク通信網を介して接続される外部変換サイトによって内容情報を整形するとともに、不要なデータを削除することを特徴とする請求項６に記載の媒体情報検索方法。」
　
 とあったものを、
　
「　【請求項１】
　記録媒体に記録された信号を再生または保存する記録再生装置と、
　前記記録再生装置とネットワーク通信網を介して接続され、前記信号の内容情報を蓄積しているデータベースと、
　を具備し、前記記録媒体に記録された信号を再生または保存する際に前記ネットワーク通信網を介して前記データベースから前記信号の内容情報を取込むようにした媒体情報検索装置であって、
　前記記録媒体に記録された信号が音楽の音声信号であって、
前記記録媒体のトラック情報を元にネットワーク通信網を介してトラック情報のデータベースにアクセスして対応する内容情報を取得し、前記トラック情報を元にした内容情報が取得できない場合には
　
前記トラック情報を元に取得した内容情報のデータまたは前記著作権情報を元に取得した内容情報のデータが複数存在する場合には、該複数の内容データの属性の抽出を行ない、前記記録媒体に記録されている内容の属性と属性が一致する内容データを選択するようにし、
　
さらに
　　【請求項２】
　前記著作権情報の録音年情報から音楽会社または音楽の通信販売会社のホームページの有効な内容情報を自動的に取込むことを特徴とする請求項１に記載の媒体情報検索装置。
　　【請求項３】
　前記記録媒体のトラック情報から音楽会社または音楽の通信販売会社のホームページの該当する内容情報を自動的に取込むことを特徴とする請求項１に記載の媒体情報検索装置。
　　【請求項４】
　前記音楽の内容情報をネットワーク通信網を介して接続されているサーバの記憶手段に記憶することを特徴とする請求項１に記載の媒体情報検索装置。
　　【請求項５】
　前記音楽の内容情報をこの検索装置内の記憶手段に記憶させることを特徴とする請求項１に記載の媒体情報検索装置。
　　【請求項６】
　記録媒体に記録された音声信号を再生または保存する際に前記音声信号の内容情報を検索する方法において、
　前記
記録媒体に記録されている
　
前記トラック情報を元に取得した内容情報のデータまたは前記著作権情報を元に取得した内容情報のデータが複数存在する場合には、前記複数の内容情報のデータの属性の抽出を行ない、さらに前記記録媒体に記録されている内容の属性の抽出を行ない、前記内容の属性と一致する属性の内容情報のデータを選択するようになし、
　
さらに
　　【請求項７】
　トラック情報のデータベース中に対応する内容情報が２つ以上ある場合に、予め記憶されている内容情報を利用して類似の内容情報を自動的に検索することを特徴とする請求項６に記載の媒体情報検索方法。
　　【請求項８】
　トラック情報のデータベース中に対応する内容情報が２つ以上ある場合にそれらの内容を表示し、ユーザが内容情報を選択することを特徴とする請求項６に記載の媒体情報検索方法。
　　【請求項９】
　音楽会社または音楽の通信販売会社のデータベースにアクセスすると、該音楽会社または該販売会社の宣伝広告が自動的に検索側に送信されることを特徴とする請求項６に記載の媒体情報検索方法。
　　【請求項１０】
　ネットワーク通信網を介して接続される外部変換サイトによって内容情報を整形するとともに、不要なデータを削除することを特徴とする請求項６に記載の媒体情報検索方法。」
　
 と補正をしようとするものである。
　
２．補正の目的についての検討
　上記補正には、次の（ｉ）（ｉｉ）（ｉｉｉ）の補正事項が含まれる。
（ｉ）補正前の請求項１に、前記記録媒体に記録された著作権情報を元に音楽会社または音楽の通信販売会社のホームページのデータベースから前記音楽の内容情報を取込んで表示または記憶するのが、「前記記録媒体のトラック情報を元にネットワーク通信網を介してトラック情報のデータベースにアクセスして対応する内容情報を取得し、前記トラック情報を元にした内容情報が取得できない場合」である点に限定する。
（ｉｉ）補正前の請求項１に、「前記トラック情報を元に取得した内容情報のデータまたは前記著作権情報を元に取得した内容情報のデータが複数存在する場合には、該複数の内容データの属性の抽出を行ない、前記記録媒体に記録されている内容の属性と属性が一致する内容データを選択する」との特定事項を追加する。
（ｉｉｉ）補正前の請求項６に、「前記トラック情報を元に取得した内容情報のデータまたは前記著作権情報を元に取得した内容情報のデータが複数存在する場合には、前記複数の内容情報のデータの属性の抽出を行ない、さらに前記記録媒体に記録されている内容の属性の抽出を行ない、前記内容の属性と一致する属性の内容情報のデータを選択する」との特定事項を追加する。
　上記補正事項のうち、上記（ｉｉ）（ｉｉｉ）の補正事項は、請求項１においては新たな機能手段を、請求項６においては新たな工程を、それぞれ追加するものであって、補正前の請求項１及び請求項６に記載された発明を特定するために必要な事項を限定することにより特許請求の範囲を減縮することを目的とするものと認めることができない。
　また、本件補正が、請求項の削除、誤記の訂正、又は拒絶理由通知に係る拒絶の理由に示す事項についてする不明りょうな記載の釈明のいずれにも該当しないことは明らかである
　
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
３．独立特許要件についての検討　 
　次に、本件補正が請求項１及び６に記載された発明を特定する事項を限定することで特許請求の範囲の減縮を目的とするものであるとする請求人の主張に配慮して、仮に、本件補正が平成１８年法律第５５号改正附則第３条第１項によりなお従前の例によるとされる同法による改正前の特許法第１７条の２第４項第２号に掲げる事項を目的とするものに該当するものとして、本件補正後の請求項１に係る発明（以下、「補正後発明」という。）が特許出願の際独立して特許を受けることができるものであるか（平成１８年改正前特許法第１７条の２第５項において準用する同法第１２６条第５項の規定に適合するか）否かについて、以下に検討する。
　
　補正後発明の「媒体情報検索装置」には、「記録媒体に記録されている内容の属性と属性が一致する内容データを選択する」との特定事項が含まれている。
　ところが、本願明細書の発明の詳細な説明に「一般にＣＤにはコンテンツ情報が入っておらず（【０００４】参照）」と記載されるように、補正後発明において、記録媒体には「内容情報」が入っていないことが前提である（それ故、前記「内容情報」は、トラック情報等に基づいてデータベース等から取得しているのである）。
　「記録媒体」に「内容情報」が記録されていない以上、記録媒体から「記録媒体に
記録されている内容
　本願明細書の【００３０】段落の記載を参酌して「手動選択の場合」について検討すると、同場合には使用者が、表示された複数の「内容情報」から「ジャケットや歌詞カード」に表示された「属性」と一致するものを選択することが想定されるが、そのための具体的な装置についての構成は、請求項に記載されていない。
　以上のことからすると、補正後発明にかかる「媒体情報検索装置」の構成は不明確であるといわざるを得ない。
　
　そうすると、補正後発明は上記の点で明確であるとすることはできないから、本願は特許法第３６条第６項第２号に規定する要件を満たしていない。
　
　以上のとおりであるから、本願の補正後の請求項１に記載された発明は、特許出願の際独立して特許を受けることができるものではない。
　
４．本件補正についてのむすび 　 
　以上のとおり、本件補正は、平成１８年法律第５５号改正附則第３条第１項によりなお従前の例によるとされる同法による改正前の特許法第１７条の２第４項の規定に違反し、また、仮に、同法第１７条の２第４項第２号に掲げる事項を目的とするものと認められる場合であっても、同法第１７条の２第５項で準用する同法第１２６条第５項の規定に違反するものであるから、結局、特許法第１５９条第１項で読み替えて準用する同法第５３条第１項の規定により却下されるべきものである。
　
　
 第３　本願発明について
１．本願発明
　平成１８年１１月１３日付けの手続補正は上記のとおり却下されたので、本願の請求項１乃至１０に係る発明は、平成１８年１１月１３日付け手続補正により補正された明細書の特許請求の範囲の請求項１乃至１０に記載された事項により特定されるとおりのものであるところ、請求項１に係る発明（以下「本願発明」）は、「第２［理由］１．」に本件補正前の請求項１として記載したとおりのものである。
　
２．刊行物及びその記載
　原査定の拒絶の理由に引用された刊行物である特開２００３−５８５４３号公報（以下「刊行物１」という。）には、図面とともに以下の記載がある。（なお、下線は当審で付与した。）
（１）「【００１４】(第１の実施の形態)図１は、このタイトル情報転送システムの全体構成を示すブロック図である。
図１に示すように、タイトル情報転送システムは、録音再生装置１００と、携帯電話装置２００と、通信交換装置４００と、タイトル情報提供サーバ５００と、タイトル情報データベース６００（ＤＢ）とを備えている。
さらに、通信交換装置４００とタイトル情報提供サーバ５００とタイトル情報ＤＢ６００とが、インターネットＩＮＥＴを介して接続されている。
【００１５】
録音再生装置１００は、ＣＤ（コンパクトディスク）を再生し、得られた楽曲データをＭＤ（ミニディスク）に録音する機器であって、
【００１６】処理制御部１１０は、ＣＰＵ（Central Processing Unit）及び周辺ＬＳＩ（Large Scale Integration）を含んだ１チップマイコン等から構成され、録音再生装置１００全体を制御する。
【００１７】具体的に説明すると、処理制御部１１０は、信号処理部１２０を制御して再生用媒体、例えば再生対象である再生用ＣＤを再生し、得られた楽曲データを、再生・記録部１７０等を介して記録用媒体、例えば記録対象である記録用ＭＤに録音する。
【００１８】また、
処理制御部１１０は、信号処理部１２０を制御して、再生対象のＣＤ中のＴＯＣ（Table Of Contents）からＴＯＣ情報を読み出し、このＴＯＣ情報をインタフェース１３０等を介して携帯電話装置２００へ送る。このＴＯＣ情報は、トータルトラック数及びトータル演奏時間（分：秒：フレーム）等からなる情報であり、タイトル情報ＤＢ６００にて再生用ＣＤを識別し、この再生用ＣＤのディスクタイトル及び再生用ＣＤ中の各トラックに記録された楽曲のタイトル、アーティスト、作曲者、楽譜、歌詞等についてのタイトル情報を得るための識別情報として使用される。
【００１９】
また、処理制御部１１０は、携帯電話装置２００から送られるタイトル情報をインタフェース１３０を介して受信し、信号処理部１２０及び再生・記録部１７０を介して、受信したタイトル情報を記録用ＭＤに記録する。
【００２０】
信号処理部１２０は、処理制御部１１０による制御に従って再生用ＣＤを再生して楽曲データを読み出し、記録用ＭＤに楽曲データを記録する。
【００２１】インタフェース１３０は、信号ケーブルＣＡが着脱可能に接続されるコネクタを備え、通信ケーブルＣＡを介して携帯電話装置２００との間でデータを送受信する。
【００２２】キー入力部１４０は、ボタンスイッチやロータリスイッチ等からなり、利用者の操作に従った指示情報等を入力し、入力した情報を処理制御部１１０に供給する。例えば、キー入力部１４０は、利用者により特定のキーが押下された際に、ＣＤからＭＤへの楽曲データの録音（再生録音）を指示する情報を処理制御部１１０に供給する。
【００２３】表示部１５０は、ＬＣＤ（Liquid Crystal Display）パネル等からなり、処理制御部１１０に制御され、文字列等を表示する。例えば、表示部１５０は、録音中の楽曲データのトラック番号や、録音が完了するまでの残時間等を表示する。
【００２４】メモリ１６０は、ＲＡＭ（Random Access Memory）等からなり、処理制御部１１０のワークエリア等として使用され、様々な情報を記憶する。
【００２５】再生・記録部１７０は、光学ヘッド・磁気ヘッド等を備え、この録音再生装置１００に装填されたＣＤに記録されているデータを読み取り、
また、ＭＤに任意のデータを書き込み、また、ＭＤに記録されたデータを読み出す。
【００２６】ＤＡＣ（デジタル／アナログコンバータ）１８０は、信号処理部１２０から供給されたデジタルの楽曲データをアナログの楽曲信号に変換し、変換した楽曲信号をアンプ及びスピーカ等を介して音声（楽曲音）として出力する。」
　
（２）「【００５２】
ユーザは、再生用ＣＤに記録されている楽曲データを記録用ＭＤに複写し、さらに、記録用ＭＤのＵ−ＴＯＣエリアにタイトル情報などを登録したい場合
この録音再生装置１００に再生用ＣＤと記録用ＭＤを装填すると共にキー入力部１４０上の所定の指示ボタンを操作する。この操作に応答して、録音再生装置１００の処理制御部１１０は、図５（ａ）のフローチャートに示す処理を開始し、まず、信号処理部１２０を制御することによって装填されている再生用ＣＤにアクセスし、この再生用ＣＤからタイトル情報を取得するための識別情報となるＴＯＣ情報を取得する
そして処理制御部１１０は、取得したＴＯＣ情報を、インタフェース１３０を介して携帯電話装置２００へ送信する
【００５３】携帯電話装置２００は、図５（ｂ）のフローチャートに示す処理を実行しており、
処理制御部２４０が、録音再生装置１００から送信されたＴＯＣ情報を、インタフェース２３０を介して受信する
上記ステップＳ１１１０及びＳ１１２０で取得したＴＯＣ情報及び自己の電話番号から、図６に示すような電子メールを生成し、通信処理部２１０を介してタイトル情報提供サーバ５００へ送信する
　
（３）「【００５８】タイトル情報ＤＢ６００は、図７（ｃ）のフローチャートに示すように、インターネットＩＮＥＴを介して送信されてきた問合せコードを受信する（ステップＳ１４１０）。
タイトル情報ＤＢ６００は、受信した問合せコードに含まれるＴＯＣ情報をキーにタイトル情報が格納されたデータベースを検索し、ＴＯＣ情報に対応するタイトル情報を取得する（ステップＳ１４２０）。そして、取得したタイトル情報を含む応答コードを、ＨＴＴＰにより、インターネットＩＮＥＴ経由で、要求元のＩＰアドレス宛に送信する
　
（４）「【００６７】
録音再生装置１００では、図５（ａ）のフローチャートに示すように、処理制御部１１０が、インタフェース１３０を介して携帯電話装置２００から送信されるタイトル情報を受信する（ステップＳ１０３０）。そして、処理制御部１１０は、再生・記録部１７０及びＤＡＣ１８０を制御することにより、受信したタイトル情報を装填されている記録用ＭＤのＵ−ＴＯＣエリアに登録する
【００６８】上述した構成及び動作により、パーソナルコンピュータ等を使用しなくても、録音再生装置１００と携帯電話装置２００とを組み合わせることにより、簡単に、
タイトル情報ＤＢ６００からタイトル情報を取得することができる。しかも、取得したタイトル情報を、装填された記録用ＭＤに楽曲データとともに自動的に記録できる。
　
（５）「【０１３７】
この実施形態に係るタイトル情報転送システムは、録音再生装置１００と、携帯電話装置２００と、通信交換装置４００と、タイトル情報提供サーバ５００ｂと、複数のタイトル情報ＤＢ６００（タイトル情報ＤＢ６００ａ，タイトル情報ＤＢ６００ｂ，・・・）とを備えている。つまり、図１９に示す第７の実施の形態に係るタイトル情報転送システムと、タイトル情報提供サーバ５００ｂだけが異なっている。
【０１３８】
タイトル情報提供サーバ５００ｂは、図２２に示すように、通信処理部５１０と、処理制御部５３０と、メモリ５５０ｂとを備えている。なお、通信処理部５１０及び、処理制御部５３０は、図４に示すタイトル情報提供サーバ５００と同様の構成である。また、メモリ５５０ｂは、発信元情報テーブル５５１と、ユーザ認証情報テーブル５５４と、タイトル情報テーブル５６６と、課金算定基準テーブル５５７と、課金額記録テーブル５６０と、ジャケット絵図テーブル５６９と、ＤＢアドレステーブル５７１と、優先度規定テーブル５７２とを記憶する。
【０１３９】
優先度規定テーブル５７２は、データ形式の優先度を規定する情報を格納しておくテーブルである。このデータ形式の優先度は、各タイトル情報ＤＢ６００（タイトル情報ＤＢ６００ａ，タイトル情報ＤＢ６００ｂ，・・・）から取得し得るタイトル情報のデータ形式に対する優先度である。例えば、漢字、ひらがな、カタカナ、ローマ字の順に、高い優先度が規定されている。
【０１４０】以下、このような構成のタイトル情報提供サーバ５００ｂを含むタイトル情報転送システムの動作について説明する。なお、タイトル情報転送システムの各構成部分のうち、録音再生装置１００、携帯電話装置２００、通信交換装置４００及び、各タイトル情報ＤＢ６００の動作は、上述の第１〜第３の実施形態と同様である。そこで、タイトル情報提供サーバ５００ｂの動作について、図２３を参照して説明する。なお、タイトル情報提供サーバ５００ｂのＤＢアドレステーブル５７１には、各タイトル情報ＤＢ６００のアドレスが予め記憶されており、
また、優先度規定テーブル５７２は、タイトル情報のデータ形式に対する優先度を規定する情報が予め記憶されているものとする。
【０１４１】まず、タイトル情報提供サーバ５００ｂは、ＴＯＣ情報を含む電子メールを通信交換装置４００から受信する（ステップＳ３１）。そして、電子メール受信処理部５３１は、受信した電子メールの内容を解析し、受信した電子メールが、タイトル情報の提供を要求する内容であれば、ユーザ認証部５３４に制御を渡し、ユーザ認証処理を行わせる（ステップＳ３２）。 
【０１４２】ユーザ認証処理により、ユーザが認証されると、電子メール受信処理部５３１は、このタイトル情報提供サーバ５００ｂが有するＩＰアドレスのうちの現在未使用のものを１つ選択して、受信した電子メールに含まれるＴＯＣ情報及び発信元の電話番号と共に、発信元情報テーブル５５１に記憶する（ステップＳ３３）。そして、問合せコード送信処理部５４０は、ＤＢアドレステーブル５７１から所定の順番に従って、何れか１つのタイトル情報ＤＢ６００に対応したアドレスを取得する（ステップＳ３４）。
【０１４３】問合せコード送信処理部５４０は、取得したアドレス先のタイトル情報ＤＢ６００に問合せコードを送信する（ステップＳ３５）。そして、応答コード受信処理部５４３は、通信処理部５１０を介して、タイトル情報ＤＢ６００から、応答コードの形式で送信されてくるタイトル情報を受信し、タイトル情報テーブル５６６に一時記憶させる（ステップＳ３６）。
【０１４４】タイトル情報提供サーバ５００ｂは、全てのタイトル情報ＤＢ６００を検索済みであるか否かを判別する（ステップＳ３７）。タイトル情報提供サーバ５００ａは、全てのタイトル情報ＤＢ６００を検索していないと判別すると、ステップＳ３４に処理を戻し、上述のステップＳ３４〜Ｓ３７の処理を繰り返し実行する。
【０１４５】
一方、全てのタイトル情報ＤＢ６００を検索したと判別した場合に、タイトル情報提供サーバ５００ｂは、優先度規定テーブル５７２に従って、タイトル情報を選択する（ステップＳ３８）。すなわち、応答コード受信処理部５４３は、タイトル情報テーブル５６６に記憶した各タイトル情報のデータ形式を解析する。そして、全てのタイトル情報のデータ形式の内で、優先度規定テーブル５７２に記憶される最も優先度の高いデータ形式に合致するタイトル情報を選択する。
　
　上記摘示事項を、図面とともに総合整理すると、刊行物１には以下の発明が記載されているものと認める。
「ＣＤを再生し、得られた楽曲データをＭＤに録音する録音再生装置と、
　インターネットを介して接続されたタイトル情報提供サーバと、タイトル情報データベースとを備え、
　再生用ＣＤに記録されている楽曲データを記録用ＭＤに複写し、さらに、記録用ＭＤにタイトル情報などを登録したい場合、
　録音再生装置の処理制御部は、信号処理部を制御することによって装填されている再生用ＣＤにアクセスし、この再生用ＣＤからタイトル情報を取得するための識別情報となるＴＯＣ情報を取得し、取得したＴＯＣ情報を、インタフェースを介して送信し
　タイトル情報提供サーバは、タイトル情報のデータ形式に対する優先度を規定する情報が予め記憶されている優先度規定テーブルを記憶するメモリを備え、
　受信したＴＯＣ情報をキーにタイトル情報が格納されたタイトル情報データベースを検索し、ＴＯＣ情報に対応するタイトル情報を取得し、優先度規定テーブルに従って、タイトル情報を選択し、タイトル情報を含む応答コードを、インターネット経由で送信し　
　録音再生装置では処理制御部が、インタフェースを介してタイトル情報を受信し、受信したタイトル情報を装填されている記録用ＭＤのＵ−ＴＯＣエリアに登録することにより、
  タイトル情報データベースからタイトル情報を取得し、取得したタイトル情報を、装填された記録用ＭＤに楽曲データとともに自動的に記録するタイトル情報転送システム」（以下「刊行物１発明」という。）
　
　また、同じく、原査定の拒絶の理由で引用された刊行物である特開２００１−３１２８７７号公報（以下「刊行物２」という。）には、ディスク記録再生装置として、図面とともに以下の記載がある。（なお、下線は当審で付与した。）　
（６）「【００１６】再生手段において、ＭＤへの録音時のマスターディスクであるコンパクトディスク（以下ＣＤ）１６の動作については、上記ＭＤの再生時と同様である。メモリ１８にはシステム制御手段９によって、マスターディスクの各プログラムに一つずつ定められた国際標準レコーディングコード（ＩＳＲＣ）を再生する曲ごとに一時的に記憶していく。操作キー部１１には録音再生用や再生専用のＭＤ７の再生操作、記録操作、プログラム操作、タイトルの入力操作や再生専用ＣＤの再生操作。また本発明である自動的にネットの情報をタイトル記録するための複数のキーを有する。表示装置１０は、再生するプログラムの番号や演奏時間やプログラムタイトル等を表示するための表示部を有している。
モデム１２は、電話回線を通して、ネットワーク上のホームページにアクセスするためのデータ変換を行う通信手段である。文字情報メモリ１４には、操作キー部１１のキーによりインタネット上のタイトルをダウンロードするように選択し、通信手段であるモデム１２によりネット上のデータベース１３にアクセスし、メモリ１８に格納された国際標準レコーディングコード（ＩＳＲＣ）データを元にＭＤ７に記録したプログラムデータに対応して検出したタイトルデータを格納する。
　
（７）「【００１８】
その後、Ｓ３でＣＤ１６から再生したプログラム内容をＭＤ７へ録音開始させる。Ｓ４でマスターディスクのＣＤ１６から再生されるプログラムのＩＳＲＣを抽出し、記録媒体であるＭＤ７にプログラムが録音される順にメモリ１８に記憶させる。Ｓ５で録音終了を判別し、録音終了の場合は、Ｓ６においてインターネット上からタイトルデータをダウンロードするかどうかを操作キー部１１で選択する。Ｓ６でダウンロードを選択すればＳ７で記録再生装置内のモデム１２を介しネットワーク上の国際標準レコーディングコード（ＩＳＲＣ）順のタイトルデータベースが存在するホームページに自動的にアクセスさせる。
　
３．本願発明と刊行物発明との対比・判断
（ａ）刊行物１発明の「ＣＤ」は、本願発明の「記録媒体」に相当する。
（ｂ）刊行物１発明の「ＣＤを再生し、得られた楽曲データをＭＤに録音する録音再生装置」は、ＣＤを再生し、ＣＤから得られた楽曲データをＭＤに保存するものであるから、本願発明の「記録媒体に記録された信号を再生または保存する記録再生装置」に相当する。
（ｃ）刊行物１発明の「タイトル情報」は、ＭＤに記録される「楽曲データ」の内容を示す情報であるから、本願発明の「信号の内容情報」に相当する。
（ｄ）刊行物１発明の「タイトル情報データベース」は、「インターネットを介して接続され」た「タイトル情報が格納されたデータベース」であるから、本願発明の「前記記録再生装置とネットワーク通信網を介して接続され、前記信号の内容情報を蓄積しているデータベース」に相当する。
（ｅ）刊行物１発明の「タイトル情報転送システム」は、「再生用ＣＤに記録されている楽曲データを記録用ＭＤに複写し、さらに、記録用ＭＤにタイトル情報などを登録」する際に、「タイトル情報データベースからタイトル情報を取得」するものであって、「前記記録媒体に記録された信号を再生または保存する際に前記ネットワーク通信網を介して前記データベースから前記信号の内容情報を取込むようにした」点で、本願発明の「媒体情報検索装置。」と共通する。
（ｆ）刊行物１発明の「タイトル情報転送システム」は、ＣＤに楽曲データが記録され、ＣＤに記録されたＴＯＣ情報を基に、「タイトル情報が格納されたデータベースを検索し、ＴＯＣ情報に対応するタイトル情報を取得し、」  「取得したタイトル情報を、装填された記録用ＭＤに」「記録する」ものであって「前記記録媒体に記録された信号が音楽の音声信号であって、前記記録媒体に記録された」「情報を元に」「データベースから前記音楽の内容情報を取込んで表示または記憶する」点で、本願発明の「媒体情報検索装置」と共通する。
（ｇ）刊行物１発明の「タイトル情報転送システム」は、「優先度規定テーブルに従って、タイトル情報を選択し、タイトル情報を含む応答コード」を作成するものであるから、「予め記憶されている」「タイトル情報のデータ形式に対する優先度を規定する情報」に従って、フィルタリングを行い、最適なタイトル情報を選択し、応答データを作成しており、「
予め登録した（データ）
を元にフィルタリング
してデータ化する
　
　したがって、本願発明と刊行物発明との［一致点］及び［相違点］は以下のとおりである。
　
［一致点］
「記録媒体に記録された信号を再生または保存する記録再生装置と、
　前記記録再生装置とネットワーク通信網を介して接続され、前記信号の内容情報を蓄積しているデータベースと、
　を具備し、前記記録媒体に記録された信号を再生または保存する際に前記ネットワーク通信網を介して前記データベースから前記信号の内容情報を取込むようにした媒体情報検索装置であって、
　前記記録媒体に記録された信号が音楽の音声信号であって、前記記録媒体に記録された情報を元にデータベースから前記音楽の内容情報を取込んで表示または記憶するとともに、
　予め登録した（データ）あるいはユーザがアーカイブしたアルバムデータを元にフィルタリングまたは優先表示してデータ化する媒体情報検索装置。」の点。
　
　[相違点］
（相違点１）
　本願発明が「前記記録媒体に記録された信号が音楽の音声信号であって、前記記録媒体に記録された著作権情報を元に音楽会社または音楽の通信販売会社のホームページのデータベースから前記音楽の内容情報を取込んで表示または記憶する」と特定されるのに対して、刊行物１発明では、記録媒体に記録された「情報」が「著作権情報」である点、及び、「データベース」が「音楽会社または音楽の通信販売会社のホームページ」のデータベースである点について特定されていない点。
　
（相違点２）
　本願発明が「予め登録したユーザの嗜好あるいはユーザがアーカイブしたアルバムデータを元にフィルタリングまたは優先表示してデータ化する」と、予め登録されるデータが「ユーザの嗜好」であるのに対して、刊行物１発明では「ユーザの嗜好」と特定されていない点。
　
４．当審の判断
　上記相違点について検討する。
（相違点１について）
　刊行物２には、ＣＤからＭＤに音楽データを録音する際に、ＣＤから抽出した著作権情報であるＩＳＲＣを元にホームページのデータベースにアクセスしタイトルデータを取得し、ＭＤにタイトル情報を記録することが記載されている。そして、刊行物２は、識別情報に対応するデータをデータベースから取得するものである点で刊行物１発明と共通するものである。
　したたがって、刊行物１発明においても、識別情報として著作権情報である「ＩＳＲＣ」を採用すること及び、データベースとして「ホームページ」のデータベースを採用することは、当業者が容易に想到しうることである。そして、その際、ホームページを音楽会社または音楽の通信販売会社のホームページとすることは、通常、音楽ＣＤが前記のような各会社から販売されることが常識であることからすると当業者が適宜なしうる程度のことである。
　
（相違点２について）
　ユーザの嗜好を予め登録しておき、データベースを検索して得られた結果を、ユーザの嗜好を元にフィルタリングすることは周知事項（例えば、特開２００２−２５８８７４号公報の段落【００２３】,【００４７】，【００５２】、特開２００２−２８８２０３号公報の【従来例の技術】、特開平１０−２８３４０３号公報の【００４６】〜【００７３】、等参照）であって、刊行物発明においても、ユーザの嗜好を予め登録しておき、データベース検索を行い複数の結果が得られた際に、予め登録したユーザの嗜好を元にフィルタリングしてデータ化する構成を採用することは当業者が容易に想到しうることである。
　
　また、本願発明の奏する作用効果は各刊行物から当業者が十分予測可能なものであって格別のものではない。
　
　よって、本願発明は、上記各刊行物に記載された発明に及び周知技術に基づいて当業者が容易に発明をすることができたものである。
　
４．むすび
　以上のとおり、本願の請求項１に係る発明は、特許法第２９条第２項の規定により特許を受けることができないものである。
　したがって、その余の請求項について論及するまでもなく、本願は、拒絶すべきものである。
　よって、結論のとおり審決する。